(57)【要約】【目的】タンバックル、配管支持バンド及びボルトが脱離・脱落しないように仮止め状態とし、ボルトの伴回りを防止することができ、更に、配管の取り付け角度を微調節可能な配管支持具用補助具を提供する。【構成】配管支持バンドの取付片を挟む内・外側面と、該内・外側面を連結する側面を有し、該配管支持バンドの取付片を挟持する挟持部と、前記内側面に形成されたボルト挿通孔と、前記内側面のボルト挿通孔の外縁に形成され、タンバックルの如き支持具の脚部を係止する係止部と、前記外側面に形成され前記ボルトの頭部の回動を規制する規制部、を有することを特徴とする配管支持具用ボルト伴回り・脱落防止補助具。【選択図】        図１
2010048289.tif 000002
【特許請求の範囲】
【請求項１】
ボルト挿通孔が設けられた取付片を有する配管支持バンド、該支持バンドを支持するタンバックルの如き支持具、ボルト及びナットからなる配管支持具に取り付けられ、ボルトの伴回りを防止するとともに、ボルトの脱落を防止するために用いられる配管支持具用ボルト伴回り・脱落防止補助具において、
前記配管支持バンドの取付片を挟む内・外側面と、該内・外側面を連結する側面を有し、該配管支持バンドの取付片を挟持する挟持部と、
前記内側面に形成されたボルト挿通孔と、
前記内側面のボルト挿通孔の外縁に形成され、タンバックルの如き支持具の脚部を係止する係止部と、
前記外側面に形成され前記ボルトの頭部の回動を規制する規制部、
を有することを特徴とする配管支持具用ボルト伴回り・脱落防止補助具。
【請求項２】
係止部が、ボルト挿通孔から挟持部の内側面に対し垂直に切り起こされ、先端を前記内側面に対し略水平に折り曲げた鉤形状であることを特徴とする請求項１に記載の配管支持具用ボルト伴回り・脱落防止補助具。
【請求項３】
係止部が、ボルト挿通孔の外縁であって、配管支持バンドの配管抱持部側に形成されていることを特徴とする請求項１又は２に記載の配管支持具用ボルト伴回り・脱落防止補助具。
【請求項４】
規制部が、切り起こしによって形成された突起部を有することを特徴とする請求項１〜３のいずれかに記載の配管支持具用ボルト伴回り・脱落防止補助具。
【請求項５】
規制部が、六角形の透孔であることを特徴とする請求項１〜３のいずれかに記載の配管支持具用ボルト伴回り・脱落防止補助具。
【請求項６】
規制部が、六角形の１辺、２辺又は３辺に、切り起こしによって形成された突起部を有することを特徴とする請求項５に記載の配管支持具用ボルト伴回り・脱落防止補助具。
【請求項７】
ボルト挿通孔が設けられた取付片を有する配管支持バンド、該支持バンドを支持するタンバックルの如き支持具、ボルト、ナット及び配管支持具用ボルト伴回り・脱落防止補助具から構成される配管支持具において、
該配管支持具用ボルト伴回り・脱落防止補助具が、請求項１〜６のいずれかに記載の配管支持具用ボルト伴回り・脱落防止補助具であることを特徴とする配管支持具。
【発明の詳細な説明】
【技術分野】
【０００１】
本発明は、配管支持具用ボルト伴回り・脱落防止補助具（以下、単に配管支持具用補助具ともいう。）及びそれを用いた配管支持具に関し、詳しくは、配管用バンドに挿通されるナット螺合前のボルトの脱落を防止し、且つボルトの伴回りを防止し、配管用支持バンドの取付片とタンバックルの如き支持具の脚部とを係止することができる配管支持具用補助具及びそれを用いた配管支持具に関するものである。
【背景技術】
【０００２】
従来より、配管支持具の吊りバンド等に挿通されるナット螺合前のボルトの脱落を防止し、且つボルトの伴回りを防止する技術が種々提案されている（特許文献１〜４等参照）。
【０００３】
【特許文献１】特開２００５−００３０１４号公報
【特許文献２】特開２００１−２６３５３９号公報
【特許文献３】特開２０００−１９２９３５号公報
【特許文献４】特開平１０−０３７９１８号公報
【発明の開示】
【発明が解決しようとする課題】
【０００４】
配管支持具は、水道管等の配管を建物の天井や床下等に敷設するためのものであり、該配管内に流入する水等を滞りなく流すために、該配管に適当な傾斜を付ける必要があり、施工時に取り付け角度を微調整することが必要である。
配管支持具の取り付け角度を微調整する方法として、例えば、天井に固定されたタンバックルの如き支持具と配管支持バンドをボルト・ナットで螺合・緊締する際に、タンバックルの如き支持具と配管支持バンドとの間で角度を微調整する方法がある。
【０００５】
また、施工時の利便性・安全性の観点から、タンバックルの如き支持具と配管支持バンドとにボルトを挿通した後、ナット螺合前においても、該タンバックルの如き支持具、配管支持バンド及びボルトが脱離・脱落しないように、仮止め状態とする必要があると共に、ナット螺合に際して、ナットの回転にボルトが伴回りすることを防止する必要もある。
【０００６】
特許文献１〜４に記載の技術は、配管支持バンドの取付片とタンバックルの脚部とを抱え込むように伴回り防止具を装着し、ボルトの脱落とナット螺合時のボルトの伴回りを防止している。
【０００７】
しかし、これらの技術では、伴回り防止具を装着後に、タンバックルと配管支持バンドとの間で角度を微調節することができないという問題点がある。
【０００８】
そこで、本発明の課題は、タンバックルの如き支持具、配管用支持バンド及びボルトが脱離・脱落しないように仮止め状態とすることができると共に、ナット螺合に際してナットの回転にボルトが伴回りすることを防止でき、更に、水道管等の配管の取り付け角度を微調節することが可能な配管支持具用補助具を提供すること、及び該配管支持具用補助具を用いた配管支持具を提供することにある。
【課題を解決するための手段】
【０００９】
本発明の上記課題は、下記構成によって達成される。
【００１０】
１．ボルト挿通孔が設けられた取付片を有する配管支持バンド、該支持バンドを支持するタンバックルの如き支持具、ボルト及びナットからなる配管支持具に取り付けられ、ボルトの伴回りを防止するとともに、ボルトの脱落を防止するために用いられる配管支持具用ボルト伴回り・脱落防止補助具において、
前記配管支持バンドの取付片を挟む内・外側面と、該内・外側面を連結する側面を有し、該配管支持バンドの取付片を挟持する挟持部と、
前記内側面に形成されたボルト挿通孔と、
前記内側面のボルト挿通孔の外縁に形成され、タンバックルの如き支持具の脚部を係止する係止部と、
前記外側面に形成され前記ボルトの頭部の回動を規制する規制部、
を有することを特徴とする配管支持具用ボルト伴回り・脱落防止補助具。
【００１１】
２．係止部が、ボルト挿通孔から挟持部の内側面に対し垂直に切り起こされ、先端を前記内側面に対し略水平に折り曲げた鉤形状であることを特徴とする請求項１に記載の配管支持具用ボルト伴回り・ 脱落防止補助具。
【００１２】
３．係止部が、ボルト挿通孔の外縁であって、配管用支持バンドの配管抱持部側に形成されていることを特徴とする請求項１又は２に記載の配管支持具用ボルト伴回り・脱落防止補助具。
【００１３】
４．規制部が、切り起こしによって形成された突起部を有することを特徴とする請求項１〜３のいずれかに記載の配管支持具用ボルト伴回り・脱落防止補助具。
【００１４】
５．規制部が、六角形の透孔であることを特徴とする請求項１〜３のいずれかに記載の配管支持具用ボルト伴回り・脱落防止補助具。
【００１５】
６．規制部が、六角形の１辺、２辺又は３辺に、切り起こしによって形成された突起部を有することを特徴とする請求項５に記載の配管支持具用ボルト伴回り・脱落防止補助具。
【００１６】
７．ボルト挿通孔が設けられた取付片を有する配管支持バンド、該支持バンドを支持するタンバックルの如き支持具、ボルト、ナット及び配管支持具用ボルト伴回り・脱落防止補助具から構成される配管支持具において、
該配管支持具用ボルト伴回り・脱落防止補助具が、請求項１〜６のいずれかに記載の配管支持具用ボルト伴回り・脱落防止補助具であることを特徴とする配管支持具。
【発明の効果】
【００１７】
前記１に記載の発明によれば、タンバックルの如き支持具、配管支持バンド及びボルトが脱離・脱落しないように仮止め状態とすることが可能であると共に、ナット螺合に際してナットの回転にボルトが伴回りすることを防止でき、しかも、水道管等の配管の取り付け角度を何時でも調節可能な配管支持具用補助具を提供することができる。
【００１８】
前記２に記載の発明によれば、タンバックルの如き支持具の仮止め状態を、より確実・簡単に達成することが可能な配管支持具用補助具を提供することができる。
【００１９】
前記３に記載の発明によれば、製造コスト面でより有利な配管支持具用補助具を提供することができる 。
【００２０】
前記４に記載の発明によれば、ナット螺合時に、ナットの回転にボルトが伴回りすることを、より確実に防止することが可能な配管支持具用補助具を提供することができる。
【００２１】
前記５に記載の発明によれば、ナット螺合時に、ナットの回転にボルトが伴回りすることを、より簡単な方法で防止することが可能な配管支持具用補助具を提供することができる。
【００２２】
前記６に記載の発明によれば、ナット螺合時に、ナットの回転にボルトが伴回りすることを、より確実に、より簡単な方法で防止することが可能な配管支持具用補助具を提供することができる。
【００２３】
前記７に記載の発明によれば、タンバックルの如き支持具、配管用支持バンド及びボルトが脱離・脱落しないように仮止め状態とすることが可能であると共に、ナット螺合に際してナットの回転にボルトが伴回りすることがなく、しかも、水道管等の配管の取り付け角度を何時でも調節可能な配管支持具を提供することができる。
【発明を実施するための最良の形態】
【００２４】
本発明に係る配管支持具用補助具及び配管支持具の詳細について、添付の図面に基づき説明する。
【００２５】
図１は、本発明に係る配管支持具用補助具の１実施例の使用状態を示す斜視図、
図２は、図１の配管支持具用補助具の６面図、
図３は、図１の配管支持具用補助具の装着状態を説明する要部右側面図、
図４は、図１の配管支持具用補助具の装着状態を説明する要部断面図、
である。
【００２６】
先ず、本発明に係る配管支持具用補助具の構成について、図１〜図４に示す実施例に基づき説明する。
【００２７】
図１において、１は本発明に係る配管支持具用補助具、２は該配管支持具用補助具１が取り付けられる配管支持具である。
【００２８】
配管支持具２は、天井から吊り下げられた吊りボルトＢに取り付けられるナットＮ、タンバックル３、該タンバックル３の脚部３Ａ・３Ｂ、ボルト４、ナット５、配管支持バンド６（配管抱持部６Ａ・６Ｂを有する。）、配管抱持部６Ａ・６Ｂ夫々の端部である取付片６Ｃ・６Ｄとから主として構成されている。尚、仮想線で示されるＰは配管である。
【００２９】
配管支持具用補助具１は、挟持部１１、ボルト挿通孔１２、係止部１３及び規制部１４から構成される。
図２において、配管支持具用補助具１の実施例を示す。
【００３０】
挟持部１１は、配管用支持バンド６の取付片６Ｃを挟む内側面１１Ａ・外側面１１Ｂと、該内・外側面１１Ａ・１１Ｂを連結する側面１１Ｃから構成され、配管用支持バンド６の一方の取付片６Ｃを挟持する。
内側面１１Ａと外側面１１Ｂとは、取付片６Ｃを挟持し得る間隔を隔て、平行に相対向して形成される。
側面１１Ｃは、両面に形成し、挟持部１１を平面視四角形としても良く（実施例、図２参照）、片面に形成し、挟持部１１を平面視コの字形としてもよいが、挟持部１１の強度を保つ観点から、前者の構成とすることが好ましい。また、側面１１Ｃは、内側面１１Ａと外側面１１Ｂの上端から下端までの全てを連結する態様でも良く、一部を連結する態様でもよい。
【００３１】
挟持部１１は、配管用支持バンド６の一方の取付片６Ｃのみを挟持し、タンバックル３の脚部３Ａを挟持しない構成である。
この構成によれば、配管用支持バンド６の取付片６Ｃとタンバックル３の脚部３Ａとを一体に挟持しないため、配管支持バンド６が、ボルト４を中心として配管方向に回動可能となる。
また、この構成によれば、配管支持バンド６及びタンバックル３にボルト４を挿通後、これらが脱離するおそれがあるが、かかる問題点は、配管支持具用補助具１に後述する係止部１３を設けることによって解決する。  
【００３２】
ボルト挿通孔１２は、抱持部１１の内側面１１Ａの中心近傍に形成される。
ボルト挿通孔１２の形状は、図２においては楕円形の透孔であるが、ボルト４が挿通可能な透孔であれば、その形状を問わない。
ボルト挿通孔１２の最小径部の径は、ボルト４のネジ山部の径より小さく、ネジ谷部の径より大きい。この構成によって、ボルト４の脱落を防止することができる。
【００３３】
係止部１３は、ボルト挿通孔１２の外縁に形成され、図４に示すように、タンバックル３の一方の脚部３Ａに設けられたボルト挿通孔に係止し、配管支持バンド６、タンバックル３及びボルト４のいずれかが、脱離・脱落することを防止する役割を果たす。配管支持バンド６とボルト４は、前述したボルト挿通孔１２の径の大きさによって、離脱・脱落することが防止されているため、係止部１３は、特に、タンバックル３の脱離を防止する役割を果たす。
【００３４】
係止部１３の形状は、図２に表されるように、ボルト挿通孔１２から挟持部の内側面１１Ａに対し垂直に切り起こされ、先端を前記内側面１１Ａに対し略水平に折り曲げた鉤形状である。更に、切り起こし又はプレス加工によって一体的に形成することが、製造コスト面での有利さも相俟って好ましい。
また、係止部１３の形状は、タンバックルの脚部３Ａに形成されたボルト挿通孔を係止する形状であればよく、本実施例では、ボルト挿通孔１２を切り起こし又はプレス加工によって一体的に形成しているが、溶接、接着等によって他部材を付加する等の手段を採ることもできる。
【００３５】
係止部１３の形成位置については、ボルト挿通孔１２の外縁に形成され、タンバックルの脚部３Ａに形成されたボルト挿通孔を係止し得る位置であればよいが、図２に示すように、ボルト挿通孔１２の外縁であって、配管用支持バンドの抱持部６Ａ・６Ｂ側に形成されていることが、配管支持具用補助具１の取り付けが容易である点で好ましい。
【００３６】
タンバックル３の脱離をより確実に防止するためには、以下の構成とすることが好ましい。
即ち、図２〜図４に示す係止部１３の形状について、鉤形状の先端が内側面１１Ａに対し略水平に折り曲げられているが、該先端部の長さが、タンバックル３の脚部３Ａに設けられたボルト挿通孔の径からボルト４の径を減算した長さ以上であることが好ましい。
かかる構成とすることによって、ボルト４の径と係止部１３の先端部の長さの和が、タンバックル３の脚部３Ａに設けられたボルト挿通孔の径より大となり、係止部１３が該ボルト挿通孔から脱離することがなく、タンバックル３の脱離を確実に防止することができる。
【００３７】
規制部１４は、抱持部の外側面１１Ｂに形成され、突起部１４Ａと透孔１４Ｂから構成される。
【００３８】
突起部１４Ａは、ボルト４の頭部の側部の一箇所乃至は複数箇所に当接して回動を規制
できる構成であれば形状を問わず、例えば、図１及び図２に示されるように、ボルト４の頭部の辺と同等幅を有する切り起こしによって形成することができる。
突起部１４Ａの形成方法としては、外側面１１Ｂを部分的に切り起こし又はプレス加工によって形成してもよいし、或いは、溶接、接着等によって他部材を付加する等の手段を採ることもできる。
【００３９】
透孔１４Ｂの形状は、ボルト４の頭部より僅かに大きい正六角形である。
ボルト４の頭部が、ボルト４の頭部より僅かに大きく、且つボルト頭部と同形の正六角形である透孔１４Ｂに入り込むことにより、ボルト頭部の回動が規制されるので、ナット５を螺合する際のボルト４の伴回りを防止することができる。
【００４０】
透孔１４Ｂは、図１及び図２に示されるようにボルト４の頭部より僅かに大きい正六角形に限定されず、ボルト４の頭部の回動を規制できる形状、即ち、ボルト４の頭部の側部の一箇所乃至は複数箇所に当接して回動を規制できる構成であれば、正六角形のボルト４の頭部の対向する１辺に当接する２辺を有する四角形でもよいし、３辺以上に当接する形状でもよい。
【００４１】
また、本実施例では、規制部１４が、突起部１４Ａ及び透孔１４Ｂを挟持部の外側面１１Ｂに形成することによって構成されているが、突起部１４Ａのみで形成してもよいし、透孔１４Ｂのみで形成してもよい。
【００４２】
配管支持具用補助具１の材質としては、鉄、ステンレス、アルミニウム等の金属製、或いはＡＢＳ等の合成樹脂製など、この種の配管支持具の材料として公知公用の材質から形成されている。
【００４３】
配管支持具用補助具１を用いた配管支持具２は、例えば、以下の方法によって使用される。
先ず、配管支持具用補助具１を、配管支持バンド６の一方の取付片６Ａを挟持又は抱持するように取り付ける。
次に、配管支持具用補助具１の係止部１３を、タンバックル３の一方の脚部３Ａに設けられたボルト挿通孔に係止する。
配管支持具用補助具１、取付片６Ａ及び脚部３Ａ・３Ｂの夫々に設けられたボルト挿通孔の位置を合わせ、該夫々のボルト挿通孔にボルト４を挿通する。この際、配管支持具用補助具１の規制部１４が働く位置までボルト４を挿通する。
天井に固定され垂下する吊りボルトＢに、ナットＮを介してタンバックル３を螺合・緊締する。尚、前述のボルト挿通作業とは順を前後させてもよい。
【００４４】
続いて、配管抱持部６Ａ及び６Ｂで配管Ｐを抱持し、配管抱持部６Ｂの端部６Ｄに設けられたボルト挿通孔にボルト４を挿通させる。
ボルト４にナット５を螺合し、仮止め状態とする。ここで、配管支持バンド６は、ボルト４を中心として配管方向に回動可能である。
最後に、配管の傾斜を調整し、それに応じて配管支持バンド６の配管方向の取り付け角度を微調整し、ボルト４とナット５を螺合・緊締する。
【００４５】
実施例において、配管支持具用補助具１を装着する配管支持具２は、吊りボルトＢ、該吊りボルトＢに取り付けられるナットＮ、タンバックル３、ボルト４、ナット５及び配管支持バンド６から構成しているが、これらの構成部材については、公知公用の部材を代用することができる。
例えば、上記タンバックル３として説明した支持具については、天井と配管支持バンドとを連結することが可能な支持具、例えば、いわゆる羽子板ボルトやＴ足等、公知公用の
ものを代用してもよい。
また、配管支持バンド６については、実施例では、配管抱持部６Ａと６Ｂとを同等の長さとした蝶番式の吊りバンドとして説明しているが、例えば、配管抱持部６Ａと６Ｂの長さが異なる蝶番式の吊りバンドとしてもよいし、いわゆる組式の吊りバンドや配管抱持部の形状が円形以外の吊りバンド等、公知公用のものを代用してもよい。
【図面の簡単な説明】
【００４６】
【図１】本発明に係る配管支持具用補助具の１実施例の使用状態を示す斜視図
【図２】図１の配管支持具用補助具の６面図
【図３】図１の配管支持具用補助具の装着状態を説明する要部右側面図
【図４】図１の配管支持具用補助具の装着状態を説明する要部断面図
【符号の説明】
【００４７】
１    配管支持具用補助具
１１    挟持部
１１Ａ    内側面
１１Ｂ    外側面
１１Ｃ    側面
１２    ボルト挿通孔
１３    係止部
１４    規制部
１４Ａ    突起部
１４Ｂ    透孔  
２    配管支持具
３    タンバックル
３Ａ・３Ｂ    脚部
４    ボルト
５    ナット
６    配管支持バンド
６Ａ・６Ｂ    配管抱持部
６Ｃ・６Ｄ    取付片
Ｂ    吊りボルト
Ｎ    ナット
Ｐ    配管
【図１】
2010048289.tif 000003
【図２】
2010048289.tif 000004
【図３】
2010048289.tif 000005
【図４】
2010048289.tif 000006